(57)【要約】      （修正有）【課題】基地局である車体等からの信号が受信可能な領域内に無線通信用携帯機であるキーが複数存在した場合に、キーの応答信号が相互干渉することを防止し、応答信号を正常に受信できる認証装置の提供。【解決手段】携帯機Ｂ１〜Ｂ３は、基地局から送信されるＩＤ信号ＩＡに対し所定のパルス幅を有する応答パルスＲＰを送信する。応答パルスＲＰの送信後、携帯機Ｂ１〜Ｂ３は所定の待機時間ＴＷの間、基地局からの信号を待ち受ける。一方、基地局は携帯機から送信される応答パルスＲＰが途切れた時点で、チャレンジレスポンスＣＲを送信する。応答パルスＲＰのパルス幅は携帯機Ｂ１〜Ｂ３によって異なるため、基地局は最長のパルス幅の終端時点でチャレンジレスポンスＣＲを送信することになる。待機時間ＴＷは各パルス幅の差より短く設定されているので、最長パルス幅を有する携帯機Ｂ３以外は待機時間ＴＷの間に信号を得ることができず、動作を終了する。【選択図】図２
2008007974.tif 000002
【特許請求の範囲】
【請求項１】
基地局との間で信号を送受信することにより認証を行う携帯機であって、
前記携帯機は、前記基地局から信号を受信する第１のステップと、
所定のパルス幅をもつ応答信号を送信する第２のステップと、
所定の待機時間の間、基地局からの信号を待ち受ける第３のステップ
により、基地局との認証を実行することを特徴とする携帯機。
【請求項２】
前記第３のステップにおいて、前記待機時間の間に、基地局からの信号が得られない場合、以後、前記基地局から送信される信号に対して不感となることを特徴とする前記請求項１記載の携帯機。
【請求項３】
基地局との間で信号を送受信することにより認証を行う携帯機であって、
前記携帯機は、前記基地局から信号を受信する第１のステップと、
所定のパルス幅をもつ応答信号を送信する第２のステップと、
以後前記基地局から送信される信号に対して不感となるか否かを指示される命令信号を受信する第３のステップにより、基地局との認証を実行することを特徴とする携帯機。
【請求項４】
請求項１乃至請求項３記載の前記基地局および前記携帯機を備えることを特徴とする認証装置。
【請求項５】
携帯機との間で信号を送受信することにより認証を行う基地局であって、
前記基地局は、前記携帯機が送信する信号のパルス幅をあらかじめ記憶するとともに、
所定の時点から前記携帯機から受信する信号が所定閾値以下の強度となる時点までの時間を測定することを特徴とする基地局。
【請求項６】
携帯機との間で信号を送受信することにより認証を行う基地局であって、
前記基地局は、前記携帯機が送信する信号のパルス幅をあらかじめ記憶するとともに、
前記携帯機から受信する信号が所定閾値以下の強度となると、所定の信号を送信することを特徴とする基地局。
【請求項７】
前記所定の信号は、前記携帯機が以後前記基地局からの送信信号に対して応答するか否かを指示する命令信号であることを特徴とする前記請求項６記載の基地局。
【請求項８】
請求項５乃至請求項７記載の前記基地局および前記携帯機を備えることを特徴とする認証装置。
【発明の詳細な説明】
【技術分野】
【０００１】
本発明はキーレスエントリシステムにおける信号衝突防止システムを備えた認証装置に関し、より詳細には、基地局である車体等からの信号が受信可能な領域内に、無線通信用携帯機であるキーが複数存在した場合に、キーの応答信号が相互干渉することを防止するシステムを備えた認証装置、携帯機および基地局に関する。
【背景技術】
【０００２】
近年、キーレスエントリーシステムなどと称し、鍵を鍵穴に入れるような機械式キーの接触動作に依らないで、電波や赤外線による通信を利用して施錠や開錠またはエンジンスタートなどの所望の動作を行う認証装置がある。キーレスエントリーシステムを実現する認証装置は、自動車所有者がもつ携帯機（キー）と、自動車側に組み込まれた基地局とから成る。従来より、携帯機側のボタンを押すことによって、携帯機側からＩＤデータなどを送信させ、基地局に対し、ＩＤデータの認証および所望の動作をさせる認証装置が広く知られていた。
【０００３】
一方、近年、基地局である自動車のドア等のノブを引く等の操作により、基地局側から先にＩＤデータなどを送信させ、携帯機が基地局の送信データに応答して信号を送信する認証装置が見られる。さらには、基地局に一定時間間隔で信号を送信させることにより、使用者が携帯機を基地局に近づけるだけで、基地局−携帯機間でＩＤデータなどをやり取りさせ、通信を行う認証装置も見られる。
【０００４】
このように、使用者が携帯機に対し操作を行わないシステムにおいては、例えば、使用者が複数の携帯機（スペアキー）を有した状態で、ドアノブを引いた場合、複数の携帯機が基地局からの信号に同時に反応して応答信号を発するため、応答信号が相互に干渉し、基地局が正常に信号を受信できないとの問題があった。
【０００５】
以下、従来の認証装置における信号衝突の防止手段を説明する。
【０００６】
携帯機はメモリに固有のＩＤデータを記憶しており、基地局は送信信号の先頭や末尾に、いずれか１つの携帯機のＩＤデータを付加して送信する。携帯機は、自己のメモリに記憶されたＩＤデータが、基地局の送信信号に付加されたＩＤデータに一致する場合のみ応答信号を発するように設定されている。従って、基地局の送信信号を受信し、応答信号を基地局に返すことができる領域（以下、通信領域と呼ぶ）に、複数の携帯機が存在しても、１つの携帯機だけを通信相手として選択し、通信することが可能となる。
【０００７】
しかし、通信領域内に、基地局の送信信号に付加されたＩＤデータと一致する携帯機が無い場合もある。このような場合、図１０に示すように、基地局は一定時間経過後、別の携帯機のＩＤデータを付加して送信する。例えば、携帯機１乃至１０が設けられている場合、通信データに付加する携帯機のＩＤを携帯機１から携帯機１０のＩＤへと順に変化させることにより、通信領域内に存在する携帯機を順に走査するように探し当てることができる。このように従来のキーレスエントリーシステムにおいて、基地局は、携帯機のＩＤデータを送信信号に付加して送信することにより、特定の携帯機を通信相手として選択し、応答信号の相互干渉を防止していた。
【特許文献１】米国特許第５７９３３２４号明細書
【特許文献１】米国特許第６９６３２７０号明細書
【特許文献１】特表２００１−５１１２７６号公報
【発明の開示】
【発明が解決しようとする課題】
【０００８】
従来例において、Ｎ個の携帯機がスペアキーとして設けられている場合、基地局は合計Ｎ＋１個の携帯機のＩＤデータをメモリに記憶する必要がある。さらに、通信領域内に１つの携帯機しか存在しない場合、基地局は、最大Ｎ＋１回のデータ送信を行う必要が生じる。従って、スペアキーの数が大きい場合、基地局側において携帯機のＩＤデータを記憶するメモリ領域も増大し、通信における時間浪費および消費電力も増加することが問題となっていた。また、基地局はすべての携帯機のＩＤデータを順に外部に送信するため、携帯機の個数を探知されるなどセキュリティーの低下を招いていた。
【発明の効果】
【０００９】
本発明により、キーレスエントリーシステムにおいて、複数のスペアキーが設けられている場合でも、短時間で通信を行うことが可能となるとともに消費電力を低減することが可能となる。また、基地局は携帯機のＩＤデータをメモリに記憶する必要がなくなり、メモリ領域を節約し、回路およびプログラムの規模を小さくすることが可能となる。さらに、基地局は、携帯機のＩＤデータを外部に送信しないため、ＩＤデータの漏洩によるセキュリティーの低下を防止できる。
【００１０】
本発明では、基地局は通信領域内にある複数の携帯機から様々なパルス幅の応答パルスを受信する。パルス幅は各々異なるため、短いパルス幅を設定された携帯機から順に、応答パルスが途絶えていく。基地局は、応答パルスの強度が順に減少してゆき、全ての携帯機の応答パルスが無くなったことを確認してからチャレンジレスポンスなどの通信データを送信する。このように、本発明においては、比較的長時間の応答パルスを受信し、その終端を確認してから通信データを送信するため、エラーの発生を低減することが可能である。応答パルスのパルス幅が極めて短い場合、ノイズなどを応答パルスと誤解して受信するなどのエラーが発生しやすい。
【００１１】
さらに、基地局に複数の携帯機の応答パルスのうち、最短のパルス幅を記憶させておけば、応答パルス受信の際、それよりも短い時間でパルスの終端を感知したとき、その信号はノイズであると判断させることが可能である。
【００１２】
また、応答パルスを長時間送信すると述べたが、ＩＤデータなどの通信データと比べた場合、応答パルスは比較的短いため、消費電力や通信時間に対し大きな影響とはならない。
【００１３】
特に、本発明における第１実施例では、応答パルスの終端を確認した時点で、基地局は即座に通信データを送信するので、通信における時間浪費が少ない。一方、第２実施例では、動作継続コマンドにより、１つの携帯機の動作を継続させ、その他の携帯機の動作を停止させる。従って、携帯機がノイズなどの受信により、誤作動することを防止することが可能である。
【発明を実施するための最良の形態】
【００１４】
図１は本発明による認証装置のブロック図である。携帯機Ｂは、複数の携帯機のうち一つを代表して表記するものである。基地局Ａおよび携帯機Ｂは、いずれも送信機４，９およびフロントエンド５，１０を有しており、データの送受信を行うことができる。フロントエンド５，１０は、信号入力段から中間増幅段を経て、復調信号出力までを含むものとする。
【００１５】
送信機から送信されるデータおよび送信のタイミングは、マイクロコンピュータ３，８によって制御される。マイクロコンピュータ３，８には、カウンタ２，７が接続されており、所定の時間間隔をおいて動作を行うことが可能である。さらに、携帯機Ｂのマイクロコンピュータ８は、基地局Ａから送信される乱数（チャレンジレスポンス）を所定の暗号化プログラムにより、暗号化することができる。逆に、基地局Ｂのマイクロコンピュータ３は携帯機Ｂから暗号化された乱数（チャレンジレスポンス）を受信した後、所定の復号化プログラムにより復号化し、元の乱数（チャレンジレスポンス）を得ることができる。
【００１６】
基地局Ａおよび携帯機Ｂは内部にフラッシュメモリ１，６を有している。基地局Ａのフラッシュメモリには、基地局Ａ固有のＩＤデータおよび携帯機の動作を指定するコマンドパターンが記憶されている。一方、携帯機Ｂのフラッシュメモリ６には基地局ＡのＩＤデータ、携帯機Ｂに固有のＩＤデータ、およびコマンドパターンが記憶されている。
【００１７】
以下、実施例に基づいて、本発明に係る認証装置の動作を具体的に説明する。
【００１８】
本発明の第１の実施例を説明する。まず、図２は基地局Ａおよび携帯機Ｂの送信データを示すものである。ここでは１つの基地局に対し、携帯機Ｂ１乃至Ｂ３の３つの携帯機が存在するものとし、それぞれの送信データが時間軸上に沿って図示されている。より詳細には、パルス状に描かれた範囲において、基地局Ａおよび携帯機Ｂの送信機４および９は、一定周波数の搬送波を送信しており、この搬送波上にＡＳＫ変調またはＦＳＫ変調により通信データを付加することにより、情報の送信を行っている。搬送波の周波数は約３５０ＭＨｚ程度とし、ＦＳＫ変調を採用する場合は、約±３０ｋＨｚの範囲で周波数変調し、ＡＳＫ変調を採用する場合は、約２μＶｐｐの振幅幅で変調を行うことが好ましい。
【００１９】
さらに、携帯機Ｂが複数存在する場合、他の携帯機Ｂと基地局Ａの送信信号とが混信する可能性がある。従って、基地局Ａと携帯機Ｂには、異なる周波数の搬送波を送信させることが望ましい。変調方法や搬送波の周波数については、第１の実施例のみならずその他の実施例においても同様でよい。
【００２０】
次に、基地局Ａおよび携帯機Ｂの動作を、図３に示すフローチャートに沿って説明する。最初に、使用者が基地局Ａのドアノブ１１を引くなどの動作を行うことにより、ドアノブ１１からマイクロコンピュータ３に通信開始信号が印加される。通信が開始すると、まずマイクロコンピュータ３は、フラッシュメモリ１にアクセスし、ウェイクパターンＷＰおよび基地局のＩＤデータＩＡを読み込み、続いて送信機４によりウェイクパターンＷＰおよびＩＤデータＩＡを送信する（ステップＡ１０１，Ａ１０２）。ウェイクパターンＷＰは所定のパターンからなる信号であり、携帯機ＢはウェイクパターンＷＰを受信したときのみ、通信を開始するよう設定されている。またＩＤデータＩＡは、メモリ１に記憶された基地局Ａに固有なＩＤデータである。
【００２１】
基地局ＡのＩＤデータは携帯機Ｂ側のフラッシュメモリ６にも記憶されており、基地局Ａから送信されたＩＤデータＩＡは、フロントエンド１０により受信され、マイクロコンピュータ８により携帯機Ｂのフラッシュメモリ６に記憶された基地局ＡのＩＤデータと照合される。一致が確認されない場合、携帯機Ｂは通信を終了する（ステップＢ１１６）。このように、ステップＢ１０３の照合を行うことで、例えば、隣接する異なる車種の車体等の基地局から発せられる信号に対し携帯機Ｂが反応したり、使用者が携帯する異なる車種の携帯機が反応するなどの誤作動を防止することができる。
【００２２】
ＩＤデータＩＡの照合が得られた場合、携帯機Ｂの送信機８によって、所定のパルス幅をもった応答パルスＲＰが送信される（ステップＢ１０３乃至Ｂ１０６）。ここで、応答パルスＲＰのパルス幅は、各携帯機Ｂについて異なる長さが設定されている。なお、応答パルスＲＰのパルス幅の範囲は、基地局Ｂ側のマイクロコンピュータ３のクロック速度などに応じて決められる。クロック速度が高ければ、より短いパルスでも適切に受信することが可能となる。一般的には数１０マイクロ秒から数ミリ秒を最短のパルス幅とし、各携帯機Ｂにその定数倍の長さのパルス幅を設定することが適切である。
【００２３】
一方、基地局Ａ側では、携帯機Ｂが応答パルスＲＰを送信するまでの間、ＩＤデータＩＡ送信後の経過時間Ｔｂ１がカウンタ２によって測定されている（ステップＡ１０３乃至Ａ１０５）。基地局Ａには、待機時間ＴＳが設定されており、経過時間Ｔａ１が待機時間ＴＳに達する前に応答パルスＲＰが得られない場合、基地局Ａは通信を終了する。応答パルスＲＰが応答時間ＴＳ内に得られた場合、基地局Ａは応答パルスＲＰが停止するまで待ち、応答パルスＲＰの停止が確認されると、基地局ＡはチャレンジレスポンスＣＲを送信する（ステップＡ１０６乃至Ａ１０８）。
【００２４】
なお、第１の実施例では、ＩＤデータＩＡの受信および認証が終わり次第、すぐに応答パルスＲＰが送信されるため、特にマイクロコンピュータ９の動作が速い場合には待機時間ＴＳを短くし、応答パルスＲＰが得られなければ、すぐに通信を停止することが可能である。
【００２５】
携帯機Ｂ側では、応答パルスＲＰ送信後、再度カウンタにより、経過時間Ｔｂ１が測定されており、受信時間ＴＷが経過するまでの間、チャレンジレスポンスＣＲを待ち続ける（ステップＢ１０６乃至Ｂ１０８）。受信時間ＴＷが経過しても、チャレンジレスポンスＣＲを受信できない場合、通信は終了する（ステップＢ１１２）。
【００２６】
ステップＢ１１２の通信の終了は、携帯機Ｂの電源供給停止により、携帯機Ｂ全体、マイクロコンピュータ８やフロントエンド１０の動作を停止する、またはマイクロコンピュータ８のプログラム制御を行うことにより、以後携帯機Ｂを基地局Ａから送信される信号に対して不感とし、応答する信号を送信しないようにするなどの方法が考えられる。更に、一定時間が経過すると、不感状態から回復させてもよい。通信の終了や復調機能の停止の方法は第２の実施例においても同様でよい。
【００２７】
ここで、ステップＢ１０７およびＢ１０８について、図２を参照して説明を加える。上述の通り、携帯機Ｂは各々異なるパルス幅をもった応答パルスＲＰを送信する。通信領域内の複数の携帯機Ｂが存在する場合、基地局ＡがＩＤデータＩＡの送信を終えた時点（ステップＡ１０３）から、複数の携帯機Ｂが一斉に応答パルスＲＰの送信（ステップＢ１０４）を始める。基地局Ａは複数の応答パルスＲＰを受信するが、応答パルスＲＰのパルス幅は全て異なるので、時間の経過に伴い、応答パルスＲＰの強度は階段状に減少し、最終的に、通信領域内の全ての携帯機Ｂは応答パルスＲＰの送信を停止する。
【００２８】
応答パルスＲＰの送信を終了した携帯機は、順に基地局からの信号待ち状態に入る（ステップＢ１０６）。信号待ち状態は受信時間ＴＷの間だけ継続するように設定されているため、携帯機Ｂはさらに時間が経過すると、順に動作を終了してゆく（ステップＢ１０８からＢ１１２）。
【００２９】
一方、基地局Ａは、全ての応答パルスＲＰが停止したと認識した時点で、チャレンジレスポンスＣＲを送信する。しかし、実際には、基地局Ａが微弱なノイズ信号を受信し続ける場合も考えられるので、受信信号が一定強度以下になった時点を、応答パルス受信の終了と見做せばよい。つまりＡＳＫ変調またはＦＳＫ変調の変調度合いに応じて閾値を設定し、受信した信号のレベルが閾値以下になった時点で、応答パルスＲＰが全て停止したとみなすことができる。例えば、約２μＶｐｐの振幅幅でＡＳＫ変調を行う場合は、受信信号のレベルが１μＶｐｐ以下となったときに、基地局Ｂからの応答パルスＲＰが全て停止したと認識させることができる。閾値の設定については、以下に述べる第２の実施例においても同様でよい。
【００３０】
図２を例とすると、チャレンジレスポンスＣＲは、携帯機Ｂ３の応答パルスＲＰが停止した後に送信される。この時点では、携帯機Ｂ３が受信時間ＴＷに入っているが、その他の携帯機は既に受信時間ＴＷを終え、全て動作を終了している。よって、携帯機Ｂ３のみが、チャレンジレスポンスＣＲを受信し、認証のための通信を行うことができる。
【００３１】
なお、図３に示すように、応答パルスのパルス幅は、各携帯機Ｂについて各々ΔＴＲずつ増加するように設定されている。さらに、受信時間ＴＷはΔＴＲよりも短く設定され、複数の携帯機Ｂが同時に受信状態に入ることを防止している。
【００３２】
送信されたチャレンジレスポンスＣＲは、携帯機Ｂによって受信および復調された後、マイクロコンピュータ８によってビット長さなどのデータ構成が確認される（ステップＢ１０９）。データ構造が正しいと判断されると、チャレンジレスポンスＣＲはマイクロコンピュータ８において、所定のプログラムにより暗号化処理され、通信データＴＤとして送信機９から送信される（ステップＢ１１０およびＢ１１１）。
【００３３】
通信データＴＤは、基地局Ａのフロントエンド１０によって受信、復調された後、マイクロコンピュータ３において、所定のプログラムにより復号化される（ステップＡ１０９，Ａ１１０）。マイクロコンピュータ３は、通信データＴＤの復号結果がチャレンジレスポンスＣＲと一致するか否かを判断する（ステップＡ１１１）。
【００３４】
使用者が用いた携帯機Ｂが、基地局Ａに対応するものであれば、チャレンジレスポンスＣＲがどのような値であっても、基地局Ａの復号化プログラムは、携帯機Ｂによる暗号化済みデータを適切に復号化し、元の値であるチャレンジレスポンスＣＲを得ることができる。なお、セキュリティ強化が必要な場合、チャレンジレスポンスＣＲは基地局Ａのマイクロコンピュータ３において、乱数発生プログラムにより発生させ、さらにはビット長を長くすることが望ましい。
【００３５】
チャレンジレスポンスＣＲの一致が確認された場合、ドアの開錠など所望の動作を行う（Ａ１１２）。以上のステップを行った後、基地局Ａおよび携帯機Ｂは通信を終了する（ステップＡ１１３，Ｂ１１２）。
【００３６】
以上説明したように、第１の実施例においては、携帯機は各携帯機に固有の長さの応答パルスを送信する。一定強度の応答パルスを比較的長時間受信し、パルスの終端を確認してから、チャレンジレスポンスなどの通信データを送信するので、エラーが少ない。特に基地局に、複数の携帯機の応答パルスのうち、最短のパルス幅を記憶させておけば、応答パルス受信の際、それよりも短い時間でパルスの終端を感知したとき、その信号はノイズであると判断させることが可能である。
【００３７】
また、実際には、ＩＤデータなどの通信データは、応答パルスよりもはるかに長くなってしまうことが多い。従って、第１の実施例において長いパルス幅の応答パルスＲＰが送信されても、消費電力や通信時間への影響は大きくない。
【００３８】
次に、図４および図５を用いて、第２の実施例を説明する。第１の実施例と同様、第２の実施例においても、携帯機Ｂから送信される応答パルスＲＰは所定のパルス幅をもっている。パルス幅は各携帯機Ｂに固有であり、同じ幅のパルスは送信されない。（ステップＡ２０１乃至Ａ２０４およびＢ２０１乃至Ｂ２０４）。
【００３９】
しかしながら、第１の実施例とは異なり、第２の実施例では、ステップＡ２０５において携帯機Ｂから応答パルスＲＰを受信した場合、動作継続コマンドＣＣが送信される（ステップＡ２０５）。
【００４０】
以下に、動作継続コマンドＣＣについて説明する。
【００４１】
携帯機Ｂのフラッシュメモリ６には、各々動作継続コマンドＣＣが記憶されている。動作継続コマンドＣＣは各々の携帯機に固有である。ここでは携帯機Ｂｎの動作継続コマンドをＣＣｎと表記する。
【００４２】
一方、基地局Ａはフラッシュメモリ１に、携帯機Ｂの動作継続コマンドＣＣと応答パルスＲＰのパルス幅を対応付けて記憶している。
【００４３】
上述の通り、携帯機Ｂは各々異なるパルス幅をもった応答パルスＲＰを送信する。通信領域内に複数の携帯機Ｂが存在する場合、基地局ＡがＩＤデータＩＡの送信を終えた時点（ステップＡ２０２）から、複数の携帯機Ｂが同時に応答パルスＲＰの送信を始める（ステップＢ２０４）。基地局Ａは複数の応答パルスＲＰを受信するが、応答パルスＲＰのパルス幅は全て異なるので、図４に示すように、時間の経過に伴い、応答パルスＲＰの強度は階段状に減少していく。最終的に、通信領域内の全ての携帯機Ｂは応答パルスＲＰを停止する。このとき、基地局Ａは、ＩＤデータＩＡの送信終了時点、または応答パルスＲＰの受信開始時点から、応答パルスＲＰの受信終了時点までの時間ＴＲＰを測定している。
【００４４】
なお、実際には、基地局Ａが微弱なノイズ信号を受信し続ける場合も考えられるので、受信信号が一定強度以下になった時点を、応答パルス受信の終了と見做せばよい。
【００４５】
以上の過程で基地局Ａによって測定された時間ＴＲＰは、通信領域内の複数の携帯機Ｂに設定されたパルス幅のうち、最も長いパルス幅と一致するはずである。従って、基地局Ａはフラッシュメモリ１に記憶された応答信号ＲＰのパルス幅の一覧を参照し、測定時間ＴＲＰに一致する携帯機Ｂｍを特定する。
【００４６】
次に、基地局ＡはステップＡ２０４において、携帯機Ｂｍに対応する動作継続コマンドＣＣｍを送信する。携帯機Ｂｎのマイクロコンピュータ８は、応答パルスＲＰの送信後、一定時間内に、フラッシュメモリ６に記憶された動作継続コマンドＣＣｎを受信しない場合、動作を停止するように設定されているため、携帯機Ｂｍ以外の全ての携帯機Ｂは動作を停止する。図８の例では、ｍ＝３であり、携帯機Ｂ３のみが動作を継続することになる。
【００４７】
続いて、基地局ＡはチャレンジレスポンスＣＲを送信し（ステップＡ２０６）、以降の動作は、第１の実施例と同様であり、ＩＤデータの一致が確認された場合、携帯機Ａは所定の動作を行い、通信を終了する（ステップＡ２０７乃至Ａ２１１，Ｂ２０６乃至Ｂ２１０）。
【００４８】
以上説明したように、第２の実施例においては、第１の実施例と同様に、携帯機Ｂは固有の長さの応答パルスを送信する。従って、第２の実施例は第１の実施例と同じように、ノイズの受信などによるエラーを防止できるとの効果を奏する。
【００４９】
さらに第２の実施例においては、動作継続コマンドＣＣを受信した携帯機Ｂのみが、動作を継続するよう設計されているので、基地局Ａは通信相手として確実に１つの携帯機Ｂを選択し、エラーを防止することが可能となる。
【００５０】
また、第１乃至第２の実施例において、ウェイクアップパターンＷＰおよびＩＤデータＩＡの送受信により、使用者が異なる車種のキーを携帯している場合の誤動作を防止することが可能であると述べた。但し、例えば使用者が、同車種ではあるが、異なる車体のキー（携帯機Ｂ´）を携帯している場合、キーはウェイクアップパターンＷＰおよびＩＤデータＩＡに反応し、応答パルスＲＰを送信する。応答パルスＲＰが送信された結果、基地局ＡからチャレンジレスポンスＣＲが送信されるが、データ構成の不適合または、復号結果の不一致により、認証が失敗してしまう。さらには、第１および第２の実施例においては、たとえ使用者が開錠が可能な他のキー（携帯機Ｂ）を携帯していても、携帯機Ｂ´の遅延時間がそれよりも短ければ、携帯機Ｂを認証に用いることができず、携帯機Ｂ´により認証失敗を繰り返すこととなる。
【００５１】
つまり、本発明による実施例においては、たとえ使用者が開錠が可能な他のキー（携帯機Ｂ）を携帯していても、携帯機Ｂ´の遅延時間がそれより長ければ、携帯機Ｂを認証に用いることができない。よって、その通信において得られた最長のパルス幅ＴＰＲを記憶しておくことが望ましい。これにより、携帯機Ｂ´により認証が失敗した場合、一定時間内に行われる次回の通信において、パルス幅ＴＰＲよりも前にチャレンジレスポンスＣＲまたは終了コマンドを送信することで、携帯機Ｂ´を通信から除外し、使用者が携帯機する他の携帯機Ｂを通信相手として選択することが可能となる。
【００５２】
最後に、本発明のアプリケーションについて説明する。以上の実施例は、車載用キーレスエントリシステムを例にとって説明した。しかしながら、本発明による認証装置、基地局、および携帯機は他のシステムに応用が可能である。例えば、商店、レストラン、図書館などにおいて、商品、食器または書籍等の一つ一つに、通信が可能なＩＣタグ（携帯機）を設けておき、読み取り機（基地局）を用いてＩＣタグから商品情報等を読み取るとの電子タグ管理に応用することができる。特に、上述のように、基地局のフラッシュメモリに、その通信において得られた応答パルスＲＰの遅延時間ＴＲやパルス幅ＴＰＲを記憶しておき、通信が行われるごとに、既に認証を行った携帯機を順に除外するように設定することで、特に据え置き型の基地局を用い、所定位置に置いた複数の携帯機から情報を順に読み取ることができる。これにより、カートに入れられた商品、トレー上に置かれた食器、積み上げられた書籍の情報を確実に読み取ることが可能となる。
【図面の簡単な説明】
【００５３】
【図１】本発明による認証装置の構成を示すブロック図である。
【図２】本発明の第１の実施例において、基地局および携帯機によって送受信される信号の波形図である。
【図３】本発明の第１の実施例における、基地局および携帯機の動作を示すフローチャートである。
【図４】本発明の第２の実施例において、基地局および携帯機によって送受信される信号の波形図である。
【図５】本発明の第２の実施例における、基地局および携帯機の動作を示すフローチャートである。
【図６】従来例において、基地局および携帯機によって送受信される信号の波形図である。
【符号の説明】
【００５４】
１  フラッシュメモリ
２  カウンタ
３  マイクロコンピュータ
４  送信機
５  フロントエンド
６  フラッシュメモリ
７  カウンタ
８  マイクロコンピュータ
９  送信機
１０  フロントエンド
１１  ドアノブ
【図１】
2008007974.tif 000003
【図２】
2008007974.tif 000004
【図３】
2008007974.tif 000005
【図４】
2008007974.tif 000006
【図５】
2008007974.tif 000007
【図６】
2008007974.tif 000008